(57)【特許請求の範囲】
【請求項１】
保持具本体の表面から所定深さで形成されるナット保持部と、ボルト軸の外径よりも大きく、且つ、前記ナット保持部の内径よりは小さい幅で、前記ナット保持部から前記保持具本体の一方の側面に貫通される取外用開口部とを備えており、前記保持具本体の前記ナット保持部と連続して当該ナット保持部よりも浅部にワッシャー保持部が形成されており、前記保持具本体の前記取外用開口部の前記ナット保持部よりも浅部が、前記ナット保持部に保持されるナットの外径よりも大きい幅広に形成されているボルト止め用ナット保持具を用い、載置面から所定高さに設けられた取付板へボルトを上側から螺合してボルト止めを行うボルト止め方法であって、
前記ボルト止め用ナット保持具の前記ナット保持部にナットを保持させる工程と、
前記ボルト止め用ナット保持具の前記保持具本体を前記取付板に形成されたボルト孔の下方の前記載置面にセットする工程と、
前記取付板の上側から前記ナット保持部に保持された前記ナットへボルトを螺合して締結する工程と、
締結された前記ボルト及び前記ナットから前記取外用開口部を通じて前記ボルト止め用ナット保持具の前記保持具本体を取り外す工程とから成ることを特徴とするボルト止め方法。
【請求項２】
前記ボルト止め用ナット保持具の前記保持具本体の前記ナット保持部と連続して当該ナット保持部よりも深部に、ボルト軸の先端を受け入れるボルト軸受入部が形成されていることを特徴とする請求項１に記載のボルト止め方法。
【請求項３】
前記ボルト止め用ナット保持具の前記保持具本体の前記表面とは反対側の底面が、平面状に形成されていることを特徴とする請求項１又は２に記載のボルト止め方法。
【請求項４】
前記ボルト止め用ナット保持具の前記保持具本体には、取手が設けられていることを特徴とする請求項１乃至３のいずれか１項に記載のボルト止め方法。
【発明の詳細な説明】
【技術分野】
【０００１】
本発明は、ボルト止めを行う際に、ナットを保持しておくためのボルト止め用ナット保持具を用いたボルト止め方法に関するものである。
【背景技術】
【０００２】
従来から、ボルト止めを行う際に、施工性を良く行うための工具が様々提案され、実施に供されている。
【０００３】
例えば、特許文献１には、ボルトを下側から螺合する際に、勾配を有する特殊形状のワッシャーが共回りをしないように工夫した従来技術が開示されている。
【先行技術文献】
【特許文献】
【０００４】
【特許文献１】特開２００３−１９１１７１号公報
【発明の概要】
【発明が解決しようとする課題】
【０００５】
しかしながら、特許文献１のような従来技術では、ボルトを下側から螺合する際に用いるものであるため、近年多く実施されている太陽電池モジュールパネルなどの取付作業に用いるのには適していない。
【０００６】
何故なら、太陽電池モジュールパネルなどは、頭部が上部になるように、ボルトを上側から螺合してしっかりと止めないと、ボルト軸に雨水が浸水して腐蝕し易いという弊害が有るうえに、意匠的外観も良くない。
【０００７】
そこで、本発明は、ボルトを上側から螺合してボルト止めを行う際に、施工性良く行うことができるボルト止め用ナット保持具を用いたボルト止め方法を提供することを目的としている。
【課題を解決するための手段】
【０００８】
前記目的を達成するために、本発明に用いられるボルト止め用ナット保持具は、ボルト止めを行うに際して、ナットを保持するためのボルト止め用ナット保持具であって、保持具本体の表面から所定深さで形成されるナット保持部と、ボルト軸の外径よりも大きく、且つ、前記ナット保持部の内径よりは小さい幅で、前記ナット保持部から前記保持具本体の一方の側面に貫通される取外用開口部とを備えており、前記保持具本体の前記ナット保持部と連続して当該ナット保持部よりも浅部にワッシャー保持部が形成されており、前記保持具本体の前記取外用開口部の前記ナット保持部よりも浅部が、前記ナット保持部に保持されるナットの外径よりも大きい幅広に形成されていることを特徴とする。
【００１０】
また、前記保持具本体の前記ナット保持部と連続して当該ナット保持部よりも深部に、ボルト軸の先端を受け入れるボルト軸受入部が形成されているとよい。
【００１２】
また、前記保持具本体の前記表面とは反対側の底面が、平面状に形成されているとよい。
【００１３】
さらに、前記保持具本体には、取手が設けられているとよい。
【００１４】
本発明のボルト止め方法は、上記したボルト止め用ナット保持具を用い、載置面から所定高さに設けられた取付板へボルトを上側から螺合してボルト止めを行うボルト止め方法であって、前記ボルト止め用ナット保持具の前記ナット保持部にナットを保持させる工程と、前記ボルト止め用ナット保持具の前記保持具本体を前記取付板に形成されたボルト孔の下方の前記載置面にセットする工程と、前記取付板の上側から前記ナット保持部に保持された前記ナットへボルトを螺合して締結する工程と、締結された前記ボルト及び前記ナットから前記取外用開口部を通じて前記ボルト止め用ナット保持具の前記保持具本体を取り外す工程とから成ることを特徴とする。
【発明の効果】
【００１５】
このような本発明に用いられるボルト止め用ナット保持具は、ボルト止めを行うに際して、ナットを保持するためのボルト止め用ナット保持具である。
【００１６】
そして、保持具本体の表面から所定深さで形成されるナット保持部と、ボルト軸の外径よりも大きく、且つ、ナット保持部の内径よりは小さい幅で、ナット保持部から保持具本体の一方の側面に貫通される取外用開口部とを備えている。
そのうえで、保持具本体のナット保持部と連続してナット保持部よりも浅部にワッシャー保持部が形成されており、保持具本体の取外用開口部のナット保持部よりも浅部が、ナット保持部に保持されるナットの外径よりも大きい幅広に形成された構成とされている。
【００１７】
こうした構成なので、例えば、太陽電池モジュールパネルの取付作業において、その取付板と屋根面との間の狭い隙間にナットをボルト止め位置に安定してセットでき、ボルト締結後に保持具本体は取外用開口部を通じて容易に取り外せるため、ボルトを上側から螺合してボルト止めを行う際に、施工性良く行うことができる。
また、保持具本体のナット保持部と連続してナット保持部よりも浅部にワッシャー保持部が形成されているので、ボルトを、ワッシャーにより、緩みなく止めることができる。
さらに、保持具本体の取外用開口部のナット保持部よりも浅部が、ナット保持部に保持されるナットの外径よりも大きい幅広に形成されているので、取付板と屋根面との間などが狭いときも、保持具本体を取り外すことができる。
【００１９】
また、保持具本体のナット保持部と連続してナット保持部よりも深部に、ボルト軸の先端を受け入れるボルト軸受入部が形成されている場合は、長いボルト軸を有するボルトにも対応することができる。
【００２１】
また、保持具本体の表面とは反対側の底面が、平面状に形成されている場合は、保持具本体をボルト止め位置下方の屋根面などへ安定した状態でセットすることができる。
【００２２】
さらに、保持具本体には、取手が設けられている場合は、取手を使って保持具本体をボルト止め位置に容易にセットすることができる。
【００２３】
このような本発明のボルト止め方法は、上記したボルト止め用ナット保持具を用い、載置面から所定高さに設けられた取付板へボルトを上側から螺合してボルト止めを行うボルト止め方法である。
【００２４】
そして、ボルト止め用ナット保持具のナット保持部にナットを保持させる工程と、ボルト止め用ナット保持具の保持具本体を取付板に形成されたボルト孔の下方の載置面にセットする工程と、取付板の上側からナット保持部に保持されたナットへボルトを螺合して締結する工程と、締結されたボルト及びナットから取外用開口部を通じてボルト止め用ナット保持具の保持具本体を取り外す工程とから成る構成とされている。
【００２５】
このような構成なので、上記したボルト止め用ナット保持具を用いるため、例えば、太陽電池モジュールパネルの取付作業において、ボルトを上側から螺合してボルト止めを行う際に、施工性良く行うことができる。
【図面の簡単な説明】
【００２６】
【図１】実施例のボルト止め用ナット保持具の概略構成を示す平面図である。
【図２】図１におけるＡ−Ａ線矢視断面図である。
【図３】図１のボルト止め用ナット保持具の右側面図である。
【図４】実施例のボルト止め方法の施工段階を示す説明図である。
【図５】実施例のボルト止め方法の施工段階を示す説明図である。
【図６】実施例のボルト止め方法の施工段階を示す説明図である。
【図７】実施例のボルト止め方法の施工段階を示す説明図である。
【図８】実施例のボルト止め方法の施工段階を示す説明図である。
【図９】実施例のボルト止め方法の施工段階を示す説明図である。
【図１０】実施例のボルト止め方法の施工段階を示す説明図である。
【発明を実施するための形態】
【００２７】
以下、本発明を実施するための形態を、図面に示す実施例に基づいて説明する。
【実施例】
【００２８】
先ず、実施例の構成について説明する。
【００２９】
図１は、実施例のボルト止め用ナット保持具１の概略構成を示している。
【００３０】
まず、このようなボルト止め用ナット保持具１は、保持具本体１Ａと取手１Ｂとから主に構成されている。
【００３１】
ここで、保持具本体１Ａは、使用状態で上面となり、ボルト・ナット受入面としての表面１０ａが一辺３０ｍｍの正方形で厚さが３１ｍｍの直方体の外形を呈している。
【００３２】
また、保持具本体１Ａには、図２にも示したように、その表面１０ａから７ｍｍから１３ｍｍの深さ範囲にナット保持部１１が形成されている。
【００３３】
ここで、ナット保持部１１の内周には、１０個の突起が設けられており、外径が１４．６ｍｍの六角ナット（以下、単にナットという。）を、挿入し易いうえに、回転を拘束して保持可能としている。
【００３４】
また、保持具本体１Ａには、ナット保持部１１と連続して、その表面１０ａから４ｍｍから７ｍｍの深さ範囲に内径１５．５ｍｍのワッシャー保持部としてのスプリングワッシャー保持部１２が形成されている。
【００３５】
さらに、保持具本体１Ａには、スプリングワッシャー保持部１２と連続して、その表面１０ａから４ｍｍから５ｍｍの深さ範囲のテーパー部１３を介して、その表面１０ａから５ｍｍの深さ範囲に内径１８ｍｍのワッシャー保持部としての平ワッシャー保持部１４が形成されている。
【００３６】
また、保持具本体１Ａには、ナット保持部１１と連続して、底面まで貫通する内径８．５ｍｍのボルト軸受入部１５が形成されている。
【００３７】
さらに、保持具本体１Ａには、ナット保持部１１、スプリングワッシャー保持部１２、テーパー部１３、及び平ワッシャー保持部１４から保持具本体１Ａの一方の側面１０ｂに貫通する取外用開口部１６が形成されている。
【００３８】
ここで、取外用開口部１６は、全体で、保持具本体１Ａの表面１０ａから１３ｍｍの深さ範囲に形成されている。
【００３９】
また、取外用開口部１６は、図３に示したように、保持具本体１Ａの表面１０ａから６ｍｍから１３ｍｍの深さ範囲におけるボルト軸受入部１５よりはやや幅広の幅９．０ｍｍの幅狭部１６ａと、保持具本体１Ａの表面１０ａから６ｍｍから８ｍｍの深さ範囲における傾斜部１６ｂと、保持具本体１Ａの表面１０ａから６ｍｍの深さ範囲におけるナット保持部１１よりはやや幅広で平ワッシャー保持部１４の内径よりはやや幅狭の幅１７ｍｍの幅広部１６ｃとから成る。
【００４０】
なお、取手１Ｂは、保持具本体１Ａの取外用開口部１６が形成された側面１０ｂと対向する側面に１２０°の角度で保持具本体１Ａの表面１０ａと略平行に取り付けられている。
【００４１】
次に、ボルト止め用ナット保持具１を用いたボルト止め方法について説明する。
【００４２】
この実施例のボルト止め方法では、図４に示したように、載置面としての屋根面２から３５ｍｍの高さに略平行に設けられた取付板３に、太陽電池モジュールパネルの取付片４をボルト止めして、太陽電池モジュールパネルを設置する。
【００４３】
なお、取付片４のみを図示し、太陽電池モジュールパネルの本体については図示を省略した。
【００４４】
まず、図４に示したように、取付板３の上で取付片４を位置決めして、取付板３のボルト孔３ａと太陽電池モジュールパネルの取付片４のボルト孔４ａとを連通させる。
【００４５】
続いて、図５に示したように、ナット５に、スプリングワッシャー７及び平ワッシャー８を介して、ボルト６を緩めに螺合したものを、ボルト止め用ナット保持具１へセットする。
【００４６】
そして、図６に示したように、ボルト６を抜き取ると、ナット５、スプリングワッシャー７及び平ワッシャー８が、ボルト止め用ナット保持具１のナット保持部１１、スプリングワッシャー保持部１２及び平ワッシャー保持部１４にそれぞれ保持された状態となる。
【００４７】
続いて、図６に示した状態のボルト止め用ナット保持具１を、図７に示したように、取手１Ｂを用いて、取付板３のボルト孔３ａの下方の屋根面２の上にセットする。
【００４８】
続いて、図８に示したように、ボルト孔３ａ，４ａへ上側からボルト６を挿入し、このボルト６を、図示省略のレンチなどの締結具によりナット５に螺合していくと、ナット５はナット保持部１１に保持された状態で上昇していく。
【００４９】
なお、ナット５がナット保持部１１を超えて上昇した状態でも、ナット５の側面では、スプリングワッシャー保持部１２との軽い接触により摩擦力が生じるため、ナット５は上昇し、ボルト６に螺合していく。
【００５０】
さらに、スプリングワッシャー７が変形しはじめると、その反発による付勢力がナット５の上面に十分与えられるため、ナット５は共回りせずに、ボルト６に螺合していく。
【００５１】
そして、図９に示したように、ボルト６とナット５とがしっかりと締結される。
【００５２】
最後に、取手１Ｂを用いて、締結されたボルト６及びナット５から、取外用開口部１６を通じて、紙面と直交する矢印Ｆの方向へボルト止め用ナット保持具１の保持具本体１Ａを取り外すと、図１０に示したように、太陽電池モジュールパネルの取付片４が、ボルト６及びナット５により、取付板３へしっかりと取り付けられた状態となる。
【００５３】
そして、残る箇所も同様な作業を行って、太陽電池モジュールパネルが設置される。
【００５４】
次に、実施例の作用効果について説明する。
【００５５】
このような実施例のボルト止め用ナット保持具１は、ボルト止めを行うに際して、ナット５を保持するためのボルト止め用ナット保持具である。
【００５６】
そして、保持具本体１Ａの表面１０ａから上記した深さで形成されるナット保持部１１と、ボルト軸の外径よりも大きく、且つ、ナット保持部１１の内径よりは小さい幅で、ナット保持部１１から保持具本体１Ａの一方の側面１０ｂに貫通される取外用開口部１６とを備えた構成とされている。
【００５７】
こうした構成なので、上記したように、太陽電池モジュールパネルの取付作業において、その取付板３と載置面としての屋根面２との間の狭い隙間にナット５をボルト止め位置に安定してセットでき、ボルト６の締結後に保持具本体１Ａは取外用開口部１６を通じて容易に取り外せるため、ボルト６を上側から螺合してボルト止めを行う際に、施工性良く行うことができる。
【００５８】
ここで、保持具本体１Ａのナット保持部１１と連続してナット保持部１１よりも浅部にワッシャー保持部としてのスプリングワッシャー保持部１２及び平ワッシャー保持部１４が形成されている。
【００５９】
このため、ボルト６を、ワッシャーとしてのスプリングワッシャー７及び平ワッシャー８により、緩みなく止めることができる。
【００６０】
また、保持具本体１Ａのナット保持部１１と連続してナット保持部１１よりも深部に、ボルト軸の先端を受け入れるボルト軸受入部１５が形成されている。
【００６１】
このため、上記したような長いボルト軸を有するボルト６にも対応することができる。
【００６２】
さらに、保持具本体１Ａの取外用開口部１６のナット保持部１１よりも浅部が、ナット保持部１１に保持されるナット５の外径よりも大きい幅の幅広部１６ｃとされている。
【００６３】
このため、上記したような取付板３と載置面としての屋根面２との間が狭いときなども、保持具本体１Ａを取り外すことができる。
【００６４】
また、保持具本体１Ａの表面１０ａとは反対側の底面が、略平面状に形成されている。
【００６５】
このため、保持具本体１Ａをボルト止め位置下方の載置面としての屋根面２などへ安定した状態でセットすることができる。
【００６６】
さらに、保持具本体１Ａには、取手１Ｂが設けられている。
【００６７】
このため、取手１Ｂを使って保持具本体１Ａをボルト止め位置に容易にセットすることができる。
【００６８】
このような実施例のボルト止め方法は、上記したボルト止め用ナット保持具１を用い、載置面としての屋根面２から上記した高さに設けられた取付板３へボルト６を上側から螺合してボルト止めを行うボルト止め方法である。
【００６９】
そして、ボルト止め用ナット保持具１のナット保持部１１にナット５を保持させる工程と、ボルト止め用ナット保持具１の保持具本体１Ａを取付板３に形成されたボルト孔３ａの下方の屋根面２にセットする工程と、取付板３の上側からナット保持部１１に保持されたナット５へボルト６を螺合して締結する工程と、締結されたボルト６及びナット５から取外用開口部１６を通じてボルト止め用ナット保持具１の保持具本体１Ａを取り外す工程とから成る構成とされている。
【００７０】
このような構成なので、上記したように、ボルト止め用ナット保持具１を用いるため、太陽電池モジュールパネルの取付作業において、ボルト６を上側から螺合してボルト止めを行う際に、施工性良く行うことができる。
【００７１】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００７２】
例えば、上記した実施例では、ボルト止め用ナット保持具１にスプリングワッシャー保持部１２、テーパー部１３、平ワッシャー保持部１４、及びボルト軸受入部１５を形成して実施したが、これに限定されず、ナット保持部１１と取外用開口部１６のみを設けたよりシンプルな形態などで実施してもよい。
【００７３】
また、上記した実施例では、ボルト止め用ナット保持具１の保持具本体１Ａの外形を直方体とし、そのサイズも記載したが、これに限定されず、用いる箇所やナットのサイズなどに適宜合わせて実施すればよい。
【００７４】
さらに、上記した実施例では、ボルト止め用ナット保持具１を、太陽電池モジュールパネルを設置することのみに用いたが、これに限定されず、例えば、ボルト６を横側から螺合してボルト止めを行う際や下側から螺合してボルト止めを行う際などにも適用して実施することもできる。
【符号の説明】
【００７５】
１      ボルト止め用ナット保持具
１Ａ    保持具本体
１Ｂ    取手
１０ａ  表面（ボルト・ナット受入面）
１０ｂ  側面
１１    ナット保持部
１２    スプリングワッシャー保持部（ワッシャー保持部）
１３    テーパー部
１４    平ワッシャー保持部（ワッシャー保持部）
１５    ボルト軸受入部
１６    取外用開口部
１６ａ  幅狭部
１６ｂ  傾斜部
１６ｃ  幅広部
２      屋根面（載置面）
３      取付板
３ａ    ボルト孔
４      取付片
４ａ    ボルト孔
５      ナット
６      ボルト
７      スプリングワッシャー（ワッシャー）
８      平ワッシャー（ワッシャー）
【要約】
【課題】ボルトを上側から螺合してボルト止めを行う際に、施工性良く行うことができるボルト止め用ナット保持具を提供する。
【解決手段】ボルト止めを行うに際して、ナットを保持するためのボルト止め用ナット保持具１であって、保持具本体１Ａの表面１０ａから所定深さで形成されるナット保持部１１と、ボルト軸の外径よりも大きく、且つ、ナット保持部１１の内径よりは小さい幅で、ナット保持部１１から保持具本体１Ａの一方の側面１０ｂに貫通される取外用開口部１６とを備えた構成とされている。
【選択図】図１【図１】
0004814401.tif 000002
【図２】
0004814401.tif 000003
【図３】
0004814401.tif 000004
【図４】
0004814401.tif 000005
【図５】
0004814401.tif 000006
【図６】
0004814401.tif 000007
【図７】
0004814401.tif 000008
【図８】
0004814401.tif 000009
【図９】
0004814401.tif 000010
【図１０】
0004814401.tif 000011